(57)【要約】  電源からの電源電圧を供給されライトデータを記録媒体にライトする記憶装置の制御装置は、電源電圧と閾値電圧を比較した比較結果が入力される入力部と、ライトデータを記録媒体にライトする直前に比較結果が電源電圧が閾値電圧未満であると判断すると、ライトデータを退避領域に退避して、退避されたライトデータを記録媒体にライトするコントローラとを備える。
2008146364.tif 000002
【特許請求の範囲】
【請求項１】
電源からの電源電圧を供給されライトデータを記録媒体にライトする記憶装置の制御装置であって、
該電源電圧と閾値電圧を比較した比較結果が入力される入力部と、
該ライトデータを該記録媒体にライトする直前に該比較結果が該電源電圧が該閾値電圧未満であると判断すると、該ライトデータを退避領域に退避して、退避されたライトデータを該記録媒体にライトするコントローラとを備えたことを特徴とする、制御装置。
【請求項２】
該コントローラは、該ライトデータを該記録媒体にライトする直前に該比較結果が該電源電圧が所定時間以上該閾値電圧未満であると判断すると該ライトデータを該退避領域に退避し、該所定時間未満であると判断すると該ライトデータを該記録媒体にライトすることを特徴とする、請求項１記載の制御装置。
【請求項３】
該コントローラは、該ライトデータを該記録媒体にライトする直前に該比較結果が該電源電圧が該所定時間以上遮断されていると判断すると、該ライトデータの該記録媒体へのライト処理を停止することを特徴とする、請求項２記載の制御装置。
【請求項４】
該コントローラは、該ライトデータと共に、該退避領域に退避されたライトデータが有効であるとセットされる記憶フラグと、該記録媒体への書き戻し位置を示す位置情報を該退避領域に退避することを特徴とする、請求項１〜３のいずれか１項記載の制御装置。
【請求項５】
該コントローラは、該退避されたライトデータの該記録媒体へのライトが完了すると、該記憶フラグをクリアすることを特徴とする、請求項４記載の制御装置。
【請求項６】
該コントローラは、該ライトデータの該退避領域への退避が完了しないか、或いは、該退避されたライトデータの該記録媒体へのライトが完了しないと、該ライトデータの該記録媒体へのライト処理を停止することを特徴とする、請求項４又は５記載の制御装置。
【請求項７】
該コントローラは、次回の電源投入時に該記憶フラグがセットされていると、該位置情報に基づいて該退避領域に退避されているライトデータを該記録媒体へ書き戻すことを特徴とする、請求項４〜６のいずれか１項記載の制御装置。
【請求項８】
該記録媒体はディスクであり、
該コントローラは、該ライトデータをセクタ単位で該退避領域に退避すると共に、該退避されたライトデータを該セクタ単位で該記録媒体にライトすることを特徴とする、請求項１〜７のいずれか１項記載の制御装置。
【請求項９】
該退避領域は、該記録媒体上の該ライトデータが記録される領域以外の領域、或いは、該記憶装置内の該記録媒体以外の記憶領域により構成されていることを特徴とする、請求項１〜８のいずれか１項記載の制御装置。
【請求項１０】
電源からの電源電圧を供給されライトデータを記録媒体にライトする記憶装置であって、
該記憶装置全体の制御を司るプロセッサと、
該プロセッサが実行するプログラム及びデータを格納するメモリと、
該電源電圧と閾値電圧を比較して比較結果を出力する比較部と、
該プロセッサの制御下で、該ライトデータを該記録媒体にライトする直前に該比較結果が該電源電圧が該閾値電圧未満であると判断すると、該ライトデータを退避領域に退避して、退避されたライトデータを該記録媒体にライトするコントローラとを備え、
該退避領域は、該記録媒体上の該ライトデータが記録される領域以外の領域、或いは、該メモリ内の領域により構成されていることを特徴とする、記憶装置。
【請求項１１】
該コントローラは、該ライトデータを該記録媒体にライトする直前に該比較結果が該電源電圧が所定時間以上該閾値電圧未満であると判断すると該ライトデータを該退避領域に退避し、該所定時間未満であると判断すると該ライトデータを該記録媒体にライトすることを特徴とする、請求項１０記載の記憶装置。
【請求項１２】
該コントローラは、該ライトデータを該記録媒体にライトする直前に該比較結果が該電源電圧が該所定時間以上遮断されていると判断すると、該ライトデータの該記録媒体へのライト処理を停止することを特徴とする、請求項１１記載の記憶装置。
【請求項１３】
該コントローラは、該ライトデータと共に、該退避領域に退避されたライトデータが有効であるとセットされる記憶フラグと、該記録媒体への書き戻し位置を示す位置情報を該退避領域に退避することを特徴とする、請求項１０〜１２のいずれか１項記載の記憶装置。
【請求項１４】
該コントローラは、該退避されたライトデータの該記録媒体へのライトが完了すると、該記憶フラグをクリアすることを特徴とする、請求項１３記載の記憶装置路。
【請求項１５】
該コントローラは、該ライトデータの該退避領域への退避が完了しないか、或いは、該退避されたライトデータの該記録媒体へのライトが完了しないと、該ライトデータの該記録媒体へのライト処理を停止することを特徴とする、請求項１３又は１４記載の記憶装置。
【請求項１６】
該コントローラは、次回の電源投入時に該記憶フラグがセットされていると、該位置情報に基づいて該退避領域に退避されているライトデータを該記録媒体へ書き戻すことを特徴とする、請求項１３〜１５のいずれか１項記載の記憶装置。
【請求項１７】
該記録媒体はディスクであり、
該コントローラは、該ライトデータをセクタ単位で該退避領域に退避すると共に、該退避されたライトデータを該セクタ単位で該記録媒体にライトすることを特徴とする、請求項１０〜１６のいずれか１項記載の記憶装置。
【請求項１８】
該比較部は、該コントローラ内、或いは、該コントローラ外に設けられていることを特徴とする、請求項１０〜１７のいずれか１項記載の記憶装置。
【発明の詳細な説明】
【技術分野】
【０００１】
本発明は、制御装置及び記憶装置に係り、特に電源遮断によるデータ破壊を防止するのに適した制御装置及びそのような制御装置を備えた記憶装置に関する。
【背景技術】
【０００２】
磁気ディスク装置等の記憶装置に接続されている電源が、磁気ディスク等の記録媒体へのデータライト中に遮断されると、ライトしている最中のデータが破壊されてしまう。図１は、磁気ディスク装置における電源遮断時の動作を説明する図である。図１において、電源電圧が電源遮断により徐々に低下して時刻ＴＤで磁気ディスク装置の動作不能電圧値以下になると、磁気ディスク上のセクタへのデータライトに使用されるライトゲート信号ＷＧが正常に生成されなくなる。これにより、対応するセクタのライトデータが破壊されて、 以降そのセクタの読み出しが出来なくなってしまう。【０００３】
電源遮断によるセクタのデータ破壊を防止するためには、予め電源が遮断されることを予測して、セクタ単位でライト動作を中断しなければならない。しかし、この場合、予測精度が低いと不用意にライト動作を中断してしまったり、逆に、ライト動作を中断する前に電源が遮断されてしまったりする。又、予測精度を向上させるためには複雑な仕組みが必要となるが、予測精度を向上させても全ての電源遮断を確実に予測することは不可能である。【０００４】
予測精度の低さを補うために、 電源遮断後のデータ破壊を防止するための最低時間は磁気ディスク装置が動作可能となるように、蓄電池等の内蔵電源をディスク装置に設ける方法もある。しかし、磁気ディスク装置にこのような内蔵電源を設けることは、小型化及び低コスト化の要求に逆行するものである。【０００５】
従来のディスク装置における電源遮断への対策の一例が、特許文献１，２に記載されている。
【特許文献１】特開昭６３−７８２１１号公報
【特許文献２】特開平９−３５４１７号公報
【発明の開示】
【発明が解決しようとする課題】
【０００６】
従来は、確実に電源遮断によるデータ破壊を防止し、且つ、記憶装置に対する小型化及び低コスト化の要求を満たすことができないという問題があった。【０００７】
そこで、本発明は、確実に電源遮断によるデータ破壊を防止し、且つ、記憶装置に対する小型化及び低コスト化の要求を満たすことが可能な制御装置及び記憶装置を提供することを概括的目的とする。
【課題を解決するための手段】
【０００８】
上記の課題は、電源からの電源電圧を供給されライトデータを記録媒体にライトする記憶装置の制御装置であって、該電源電圧と閾値電圧を比較した比較結果が入力される入力部と、該ライトデータを該記録媒体にライトする直前に該比較結果が該電源電圧が該閾値電圧未満であると判断すると、該ライトデータを退避領域に退避して、退避されたライトデータを該記録媒体にライトするコントローラとを備えたことを特徴とする制御装置によって達成できる。【０００９】
上記の課題は、電源からの電源電圧を供給されライトデータを記録媒体にライトする記憶装置であって、該記憶装置全体の制御を司るプロセッサと、該プロセッサが実行するプログラム及びデータを格納するメモリと、該電源電圧と閾値電圧を比較して比較結果を出力する比較部と、該プロセッサの制御下で、該ライトデータを該記録媒体にライトする直前に該比較結果が該電源電圧が該閾値電圧未満であると判断すると、該ライトデータを退避領域に退避して、退避されたライトデータを該記録媒体にライトするコントローラとを備え、該退避領域は、該記録媒体上の該ライトデータが記録される領域以外の領域、或いは、該メモリ内の領域により構成されていることを特徴とする記憶装置によって達成できる。
【発明の効果】
【００１０】
本発明によれば、確実に電源遮断によるデータ破壊を防止し、且つ、記憶装置に対する小型化及び低コスト化の要求を満たすことが可能な制御装置及び記憶装置を実現することができる。
【図面の簡単な説明】
【００１１】
【図１】磁気ディスク装置における電源遮断時の動作を説明する図である。
【図２】本発明の記憶装置の一実施例の要部の構成を示すブロック図である。
【図３】電源遮断時の動作を説明する図である。
【図４】退避管理情報を説明する図である。
【図５】磁気ディスク上の領域を示す平面図である。
【図６】磁気ディスク装置のライト動作を説明するフローチャートである。
【図７】ライトデータの選択された退避領域へのライト処理を説明する図である。
【図８】選択された退避領域に退避されたライトデータを磁気ディスク上のユーザ使用領域にライトする処理を説明する図である。
【図９】電源投入時の磁気ディスク装置の動作を説明するフローチャートである。
【符号の説明】
【００１２】
１      磁気ディスク装置
１１      ＭＰＵ
１２      不揮発性メモリ
１３      ＨＤＣ
１４      ＲＤＣ
１５      データバッファ
１６      比較回路
１７      ＳＶＣ
１８      ディスクドライブ
２１      ホスト装置
２２      電源
２３      Ｉ／Ｆ
１３１      ディスクフォーマッタ
【発明を実施するための最良の形態】
【００１３】
本発明では、電源からの電源電圧を供給されライトデータを記録媒体にライトする記憶装置において、電源電圧と閾値電圧を比較して比較結果を出力し、ライトデータを記録媒体にライトする直前に比較結果が電源電圧が閾値電圧未満であると判断すると、ライトデータを退避領域に退避して、退避されたライトデータを記録媒体にライトする。【００１４】
これにより、確実に電源遮断によるデータ破壊を防止し、且つ、記憶装置に対する小型化及び低コスト化の要求を満たすことが可能となる。【００１５】
以下に、本発明の制御装置及び記憶装置の各実施例を、図２以降と共に説明する。
【実施例】
【００１６】
図２は、本発明の記憶装置の一実施例の要部の構成を示すブロック図である。本実施例では、本発明が記録媒体として磁気ディスクを用いる磁気ディスク装置に適用されている。図２は、説明の便宜上、記憶装置を構成する磁気ディスク装置１が、インタフェース（Ｉ／Ｆ）２３を介して汎用コンピュータで構成されたホスト装置２１に接続されており、電源２２から電源電圧を供給される場合を示す。図２において、細い実線は信号線を示し、太い実線は電源線を示す。【００１７】
磁気ディスク装置１は、図２に示す如く接続されたプロセッサ（ＭＰＵ）１１、不揮発性メモリ１２、ディスクフォーマッタ１３１を含むハードディスクコントローラ（ＨＤＣ）１３、リードチャネル（ＲＤＣ）１４、データバッファ１５、比較回路１６、サーボコントローラ（ＳＶＣ）１７及びディスクドライブ１８を有する。本実施例では、プロセッサ１１はＭＰＵで構成されているが、ＣＰＵやＭＣＵ等の装置で構成されていても良い。ＨＤＣ１３及び比較回路１６は、本発明の制御装置の一実施例を構成する。【００１８】
ＭＰＵ１１は、磁気ディスク装置１全体の制御を司る。不揮発性メモリ１２は、ＭＰＵが実行するプログラムや各種データを格納するためのものであり、後述する退避領域を構成可能である。ＨＤＣ１３は、ディスクドライブ１８への入出力の制御を司る。ディスクフォーマッタ１３１は、ディスクドライブ１８に対するリードデータ及びライトデータの制御を司る。ＲＤＣ１４は、ディスクドライブ１８に対するリード及びライトの制御を司る。データバッファ１５は、リードデータ及びライトデータを一時的に格納するキャッシュ領域を構成する。比較回路１６は、電源２２からの電源電圧ＰＶと閾値電圧ＴＶとを比較し、比較結果をＨＤＣ１３へ出力する比較部を構成する。従って、ディスクフォーマッタ１３１は、電源電圧ＰＶと閾値電圧ＴＶを比較した比較結果が入力される入力部を構成する。ＳＶＣ１７は、ディスクドライブ１８のシーク動作の制御を司る。ディスクドライブ１８は、アクチュエータに設けられたヘッドと磁気ディスクからなる周知の構成を有し、複数の磁気ディスクが設けられている場合にはヘッドの数はその分増加する。ディスクドライブ１８の磁気ディスクは、後述する退避領域を構成可能である。【００１９】
磁気ディスク装置１の比較回路１６を除く基本構成自体は周知であり、その詳細な説明は省略する。尚、磁気ディスク装置１の基本構成は、図２に示すものに限定されないことは言うまでもない。【００２０】
本実施例では、比較回路１６はＨＤＣ１３の外に設けられておりＨＤＣ１３とは別体であるが、比較回路１６をＨＤＣ１３内に設けてＨＤＣ１３と一体的な構成としても良いことは言うまでもない。【００２１】
本実施例では、比較回路１６に電源電圧ＰＶと比較する閾値電圧ＴＶを入力する。又、ＨＤＣ１３のディスクフォーマッタ１３１に、磁気ディスク上の各セクタのライト直前に電源電圧ＰＶが閾値電圧ＴＶを未満であるか否かをチェックする機能を設ける。このチェック機能は、図３のような閾値信号ＴＳのオン／オフ（ハイ／ローレベル）状態の判別が出来れば良い。図３は、電源遮断時の動作を説明する図であり、電源電圧ＰＶと閾値電圧ＴＶ及び磁気ディスク装置１の動作不能電圧値との関係と、後述する閾値信号ＴＳを示す。閾値電圧ＴＶは、動作不能電圧値より高く、且つ、電源電圧ＰＶの規定値よりも低く設定される。例えば、電源電圧ＰＶの規定値が＋５．０Ｖで動作不能電圧値が＋４．２Ｖの場合、閾値電圧ＴＶは＋４．７Ｖに設定される。【００２２】
又、任意のセクタ数分のライトデータを一時的に記録するために磁気ディスク上、或いは、不揮発性メモリ１２内に退避領域を設け、更にこの退避領域内に退避管理情報ＳＭＩとして後述する図４に示す如き記憶フラグＳＦと媒体書き戻し位置情報ＷＢＩを記録する。図４は、退避管理情報ＳＭＩを説明する図である。図４に示す例では、記憶フラグＳＦが情報有効フラグで構成され、媒体書き戻し位置情報ＷＢＩが退避開始論理ブロックアドレス（ＬＢＡ）と退避セクタ数で構成されている。図５は、ディスクドライブ１８の磁気ディスク１８０上の領域を示す平面図である。図５に示すように、磁気ディスク１８０上には、ユーザ使用領域１８１を挟むように磁気ディスク１８０の内周部と外周部に退避領域１８２が設けられている。ユーザ使用領域１８１は、ライトデータ等のユーザデータを記録するためにユーザにより使用される領域である。尚、退避領域１８２の位置は、磁気ディスク１８０の内周部と外周部に限定されるものではなく、又、その数も１以上であれば良い。【００２３】
図６は磁気ディスク装置１のライト動作を説明するフローチャートである。図６に示す処理は、ホスト装置２１から磁気ディスク装置１へライト要求（或いは、ライトコマンド）が発行されると開始され、ＭＰＵ１１の制御下でＨＤＣ１３により実行される。図７に示す処理は、ＨＤＣ１３内のディスクフォーマッタ１３１で実行可能である。ステップＳ１１は、退避領域を選択する。具体的には、磁気ディスク１８０上の退避領域１８２或いは不揮発性メモリ１２内の退避領域を選択する。退避領域は、ユーザがホスト装置２１から選択しても、予めデフォルトにより選択されていても良い。【００２４】
ステップＳ１２は、電源電圧ＰＶと閾値電圧ＴＶを比較する比較回路１６が出力する比較結果が、電源電圧ＰＶ≧閾値電圧ＴＶを示すか、或いは、電源電圧ＰＶ<閾値電圧ＴＶを示すかを判定する。比較回路１６が出力する比較結果は、図３に示す閾値信号ＴＳであり、例えばオン（ハイレベル）状態であると電源電圧ＰＶ≧閾値電圧ＴＶであることをを示し、オフ（ローレベル）状態であると電源電圧ＰＶ<閾値電圧ＴＶであることを示す。ステップＳ１２において、比較回路１６が出力する比較結果が電源電圧ＰＶ≧閾値電圧ＴＶを示す場合には、ステップＳ１３は、ホスト装置２１から入力されるライトデータを１セクタ分磁気ディスク１８０上のユーザ使用領域１８１にライトし、処理はステップＳ１２へ戻る。他方、ステップＳ１２において、比較回路１６が出力する比較結果が電源電圧ＰＶ<閾値電圧ＴＶを示す場合には、ステップＳ１４は、ライトデータを磁気ディスク１８０にライトせずに磁気ディスク１８０が例えば１回転するまでの所定時間だけ待ち、処理はステップＳ１５へ進む。ステップＳ１５は、比較回路１６が出力する比較結果が、電源電圧ＰＶ≧閾値電圧ＴＶを示すか、或いは、電源電圧ＰＶ<閾値電圧ＴＶを示すか、或いは、電源電圧ＰＶが略ゼロであり電源２２が遮断されたことを示すかを判定する。ステップＳ１５において、比較回路１６が出力する比較結果が電源電圧ＰＶ≧閾値電圧ＴＶを示す場合には、電源電圧ＰＶは閾値電圧ＴＶ以上に復帰しているので処理はステップＳ１３へ戻り、ライトデータを１セクタ分磁気ディスク１８０上のユーザ使用領域１８１にライトする。【００２５】
ステップＳ１５において、比較回路１６が出力する比較結果が電源電圧ＰＶ<閾値電圧ＴＶを示す場合には、ステップＳ１６は、ライトデータを任意のセクタ数分選択された退避領域に退避する。この時、選択された退避領域にライトされるライトデータのセクタ数は任意に設定可能であるが、ユーザ使用領域１８１にライトデータがライトされる際にシークを伴うことなく連続したライト処理が可能となるようなセクタ数であることが望ましい。図７は、ライトデータの選択された退避領域へのライト処理を説明する図である。図７は、選択された退避領域が磁気ディスク１８０上の退避領域１８２であり、退避領域１８２にライトされるライトデータのセクタ数が３セクタの例を示す。図７において、ｎ，ｎ＋１，...は、ライトデータ（即ち、セクタデータ）のセクタ番号を示し、ｎは１以上の整数である。【００２６】
ステップＳ１７は、１セクタ分のライトデータの選択された退避領域への退避が完了したか否かを判定する。ステップＳ１７の判定結果がＹＥＳであると、ステップＳ１８は、図４に示す如き記憶フラグＳＦ及び媒体書き戻し位置情報ＷＢＩを選択された退避領域にセットする。ステップＳ１９は、選択された退避領域に退避された上記任意セクタ数分のライトデータを磁気ディスク１８０上のユーザ使用領１８１にライトする。図８は、選択された退避領域に退避されたライトデータを磁気ディスク１８０上のユーザ使用領域１８１にライトする処理を説明する図である。図８は、選択された退避領域が磁気ディスク１８０上の退避領域１８２であり、退避領域１８２にライトされるライトデータのセクタ数（即ち、上記任意セクタ数）が図７と同様に３セクタの例を示す。図８において、ｎ，ｎ＋１，...は、セクタデータのセクタ番号を示し、ｎは１以上の整数である。【００２７】
ステップＳ２０は、退避された１セクタ分のライトデータを磁気ディスク１８０上のユーザ使用領１８１にライトが完了したか否かを判定する。ステップＳ２０の判定結果がＹＥＳであると、ステップＳ２１は、選択された退避領域の記憶フラグＳＦをクリアし、処理はステップＳ１２へ戻る。【００２８】
ステップＳ１５において、比較回路１６が出力する比較結果が電源２２が遮断されたことを示す場合、電源２２が遮断されたことによりライト処理が停止される。この場合、ライトデータを磁気ディスク１８０上のユーザ使用領域１８１にライトする前にライト処理が停止されるので、ユーザ使用領域１８１に既にライトされているライトデータの破壊が回避される。【００２９】
ステップＳ１７の判定結果がＮＯであると、電源２２が遮断されたことによりライト処理が停止される。この場合、選択された退避領域へライトデータを退避中にライト処理が停止されるので、選択された退避領域のライトデータは破壊されるが、ユーザ使用領域１８１に既にライトされているライトデータの破壊が回避される。【００３０】
ステップＳ２０の判定結果がＮＯであると、電源２２が遮断されたことによりライト処理が停止される。【００３１】
図９は、電源投入時の磁気ディスク装置１の動作を説明するフローチャートである。図９に示す処理は、電源２２が投入されて電源電圧ＰＶが磁気ディスク装置１に供給されると開始され、ＭＰＵ１１の制御下でＨＤＣ１３により実行される。ステップＳ１は、磁気ディスク１８０上の退避領域１８２、或いは、不揮発性メモリ１２内の退避領域に記憶フラグＳＦがセットされているか否かを判定する。ステップＳ１の判定結果がＹＥＳであると、ステップＳ２は、磁気ディスク１８０上の退避領域１８２、或いは、不揮発性メモリ１２内に退避領域に記録されている媒体書き戻し位置情報ＷＢＩに基づいて、退避領域に記録されているライトデータ（即ち、セクタデータ）を磁気ディスク１８０上のユーザ使用領域１８１に書き戻す。ステップＳ３は、退避領域に記録されている記憶フラグＳＦをクリアする。ステップＳ１の判定結果がＮＯであるか、或いは、ステップＳ３の後、処理は磁気ディスク装置１のライト処理やリード処理等の通常の動作へ移行する。【００３２】
これにより、ライトデータの磁気ディスク１８０上のユーザ使用領域１８１へライト中に電源２２が遮断された場合であっても、選択された退避領域（例えば、磁気ディスク１８０上の退避領域１８２）に記録された記憶フラグＳＦはセットされたままであるため、次回に磁気ディスク装置１の電源２２が投入された時には、記憶フラグＳＦがセットされていることを確認できたら、媒体書き戻し位置情報ＷＢＩに基づいて退避領域に記録されているライトデータ（即ち、セクタデータ）を磁気ディスク１８０上のユーザ使用領域１８１に書き戻すことができる。このようなライトデータのユーザ使用領域１８１への書き戻し後、退避領域に記録された記憶フラグＳＦをクリアするので、磁気ディスク１８０上のユーザ使用領域１８１内で破壊されたセクタデータは正しく書き戻される。【００３３】
本実施例によれば、電源電圧と閾値電圧との単純な比較によりセクタデータを退避領域に退避しながらライト処理を進めることで、 ライト処理を不用意に中断することが無くなる。 又、 セクタデータの退避領域への退避後、 セクタデータを記録媒体上の正規の位置への書き込み中に電源が遮断されてセクタデータ破壊が起こっても、 電源の再投入時に 退避領域に退避されているセクタデータから破壊された記録媒体上のセクタデータを復旧させることが可能となる。 これにより、確実に電源遮断によるデータ破壊を防止することができる。更に、記憶装置に内蔵電源等の付属部品を必設ける必要がないため、比較的簡単で小型化が容易な構成、且つ、低コストで電源遮断によるデータ破壊を防止することができる。【００３４】
尚、上記実施例では、ライトデータはセクタ単位で磁気ディスク上に記録されるものとして説明したが、ライトデータの記録単位はセクタ単位に限定されるものではなく、任意の単位であっても良い。又、記録媒体は磁気ディスクに限定されるものではなく、光ディスク、光磁気ディスク、カード状記録媒体の各種記録媒体で構成可能である。
【産業上の利用可能性】
【００３５】
本発明は、磁気ディスク装置に代表される各種記憶装置に適用可能である。【００３６】
以上、本発明を実施例により説明したが、本発明は上記実施例に限定されるものではなく、本発明の範囲内で種々の変形及び改良が可能であることは言うまでもない。
【図１】
2008146364.tif 000003
【図２】
2008146364.tif 000004
【図３】
2008146364.tif 000005
【図４】
2008146364.tif 000006
【図５】
2008146364.tif 000007
【図６】
2008146364.tif 000008
【図７】
2008146364.tif 000009
【図８】
2008146364.tif 000010
【図９】
2008146364.tif 000011
【国際調査報告】
2008146364.tif 000012
2008146364.tif 000013
2008146364.tif 000014
2008146364.tif 000015